(57)【要約】【課題】カッターによる切断作業から作業者の手指を十分に保護することができるとともに、低コストに製造することのできる作業用手指保護具を提供する。【解決手段】カッターによる切断作業で切り傷を負い易い親指、人差し指及びその間の股部が高強度素材によって覆われることから、カッターによる切断作業から作業者の手指Ａを十分に保護することができる。この場合、親指、人差し指、その間の股部及び手の甲の一部と手のひらの一部を覆うとともに、手指Ａの他の部分を外部に露出させるように形成したので、高価な高強度素材を用いる場合でも、材料の使用量を低減することができ、低コストに製造することができる。【選択図】図３
0003134485.tif 000002
【実用新案登録請求の範囲】
【請求項１】
高強度素材からなる作業用手指保護具において、
作業者の手指のうち親指、人差し指及びその間の股部を覆うとともに、親指と人差し指以外の指を外部に露出させるように形成した
ことを特徴とする作業用手指保護具。
【請求項２】
前記高強度素材として高弾性率繊維を用いた
ことを特徴とする請求項１記載の作業用手指保護具。
【請求項３】
手の甲の一部を覆う第１の本体部と、
手のひらの一部を覆う第２の本体部と、
親指を覆う親指保護部と、
人差し指を覆う人差し指保護部とを備え、
第１の本体部と第２の本体部とを、互いに一端側が分離可能に形成するとともに、互いに結合部材によって着脱自在に結合するように形成した
ことを特徴とする請求項１または２記載の作業用手指保護具。
【考案の詳細な説明】
【技術分野】
【０００１】
本考案は、例えばカッターを用いて材料を切断する際に、材料を押さえる手に装着して使用する作業用手指保護具に関するものである。
【背景技術】
【０００２】
一般に、板状またはシート状の材料をカッターで切断する場合には、作業者がカッターを持つ手と反対の手で材料を押さえ、カッターを手前に引きながら切断作業を行っているが、誤ってカッターが材料を押さえる手に接触すると、手指に切り傷を負うことがある。そこで、カッターによる切断作業から作業者の手指を保護するものとして、金属繊維やポリアミド繊維等の高強度素材によって形成された作業用手袋が知られている（例えば、特許文献１または２参照。）。
【特許文献１】特開２００１−８１６１４号公報
【特許文献２】実開平７−３１８１８号公報
【考案の開示】
【考案が解決しようとする課題】
【０００３】
ところで、前記切断作業で材料を押さえる手は、親指、人差し指またはその間の股部がカッターの進行方向に位置するため、切断作業における切り傷も主にこれらの部分が多い。従って、これらの部分が高強度素材で覆われていれば、カッターによる切断作業から作業者の手指を十分に保護することができる。しかしながら、前記作業用手袋は、手指全体を高価な高強度素材で覆うように形成されているため、材料コストが高くつき、低コストに製造することができないという問題点があった。
【０００４】
本考案は前記問題点に鑑みてなされたものであり、その目的とするところは、カッターによる切断作業から作業者の手指を十分に保護することができるとともに、低コストに製造することのできる作業用手指保護具を提供することにある。
【課題を解決するための手段】
【０００５】
本考案は前記目的を達成するために、高強度素材からなる作業用手指保護具において、作業者の手指のうち親指、人差し指及びその間の股部を覆うとともに、親指と人差し指以外の指を外部に露出させるように形成している。
【０００６】
これにより、例えばカッターによる切断作業を行う場合、材料を押さえる手に装着することにより、誤ってカッターが接触しても、高強度素材によって手指が保護される。その際、カッターによる切断作業で切り傷を負い易い親指、人差し指及びその間の股部が高強度素材によって覆うように形成され、親指と人差し指以外の指が外部に露出させるように形成されることから、高価な高強度素材を用いる場合でも、材料の使用量を低減することができる。
【考案の効果】
【０００７】
本考案によれば、カッターによる切断作業で切り傷を負い易い親指、人差し指及びその間の股部が高強度素材によって覆われることから、カッターによる切断作業から作業者の手指を十分に保護することができるとともに、高価な高強度素材を用いる場合でも、材料の使用量を低減することができるので、低コストに製造することができる。
【考案を実施するための最良の形態】
【０００８】
図１乃至図３は本考案の一実施形態を示すもので、図１は作業用手指保護具の正面図、図２はその背面図、図３は使用状態を示す図である。
【０００９】
この作業用手指保護具は、手の甲の一部を覆う第１の本体部１と、手のひらの一部を覆う第２の本体部２と、親指を覆う親指保護部３と、人差し指を覆う人差し指保護部４とからなり、例えばポリアリレート繊維、アラミド繊維、超高分子ポリエチレン繊維等の高弾性率繊維（高強度素材）によって形成されている。第１の本体部１は一端側が手のひら側に延びるように形成され、その他端側は人差し指保護部４の背面側と一体に形成されている。第２の本体部２は一端側が手の甲側に延びるように形成され、その他端側は人差し指保護部４の正面側と一体に形成されている。第２の本体部２の一端側は第１の本体部１の一端側と分離可能に形成され、結合部材としての面ファスナ５を介して第１の本体部１の手の甲側に着脱自在に結合するようになっている。この場合、第２の本体部２の一端側を第１の本体部１に結合すると、第１の本体部１と第２の本体部２との間に手指Ａの他の部分を外部に露出させる開口部６が形成されるようになっている。親指保護部３は第２の本体部２の他端側に設けられ、親指保護部３と人差し指保護部４は親指と人差し指の間の股部も覆うように形成されている。
【００１０】
以上のように構成された作業用手指保護具を使用する場合は、面ファスナ５を外して第１及び第２の本体部１，２を開き、親指保護部３及び人差し指保護部４に手指Ａの親指及び人差し指を挿入した後、第２の本体部２の一端側を面ファスナ５により第１の本体部１の手の甲側に結合することにより作業者の手指Ａに装着される。これにより、手指Ａの親指、人差し指及びその間の股部が親指保護部３と人差し指保護部４によって覆われ、中指、薬指、小指は開口部６から外部に露出する。
【００１１】
即ち、図３に示すように、前記作業用手指保護具は作業者がカッターＢを持つ手と反対の手に装着され、作業者はその手で材料（図示せず）を押さえ、カッターＢを手前に引きながら切断作業を行う。その際、材料を押さえる手は、親指、人差し指またはその間の股部がカッターＢの進行方向に位置するため、誤ってカッターＢが接触する場合があるが、親指、人差し指及びその間の股部は高強度素材からなる作業用手指保護具の親指保護部３及び人差し指保護部４によって覆われているため、カッターによる切り傷を負うことがない。
【００１２】
このように、本実施形態の作業用手指保護具によれば、カッターによる切断作業で切り傷を負い易い親指、人差し指及びその間の股部が高強度素材によって覆われることから、カッターによる切断作業から作業者の手指Ａを十分に保護することができる。この場合、親指、人差し指、その間の股部及び手の甲の一部と手のひらの一部を覆うとともに、手指Ａの他の部分を外部に露出させるように形成したので、高価な高強度素材を用いる場合でも、材料の使用量を低減することができ、低コストに製造することができる。
【００１３】
また、高強度素材としてポリアリレート繊維等の高弾性率繊維を用いたので、縫製が容易で高い強度を得ることができ、実用化に際して極めて有利である。尚、高強度素材として、厚手のゴム等、他の素材を用いるようにしてもよい。
【００１４】
更に、手の甲の一部を覆う第１の本体部１と手のひらの一部を覆う第２の本体部２とを互いに一端側が分離可能に形成するとともに、互いに面ファスナ５によって着脱自在に結合するようにしたので、面ファスナ５を外すことにより手指Ａへの着脱を容易に行うことができ、面ファスナ５を結合することにより手指Ａに確実に装着することができる。
【００１５】
尚、前記実施形態では、手の甲の一部を覆う第１の本体部１と、手のひらの一部を覆う第２の本体部２をそれぞれ有するものを示したが、これらの本体部を備えず、親指、人差し指及びその間の股部のみを覆うように形成すれば、材料の使用量をより低減することができる。この場合、作業用手指保護具を手指に装着した後、その上に軍手等の他の作業用手袋を装着することにより、作業用手指保護具の脱落を防止することができる。
【図面の簡単な説明】
【００１６】
【図１】本考案の一実施形態を示す作業用手指保護具の正面図
【図２】作業用手指保護具の背面図
【図３】使用状態を示す図
【符号の説明】
【００１７】
１…第１の本体部、２…第２の本体部、３…親指保護部、４…人差し指保護部、５…面ファスナ、Ａ…手指。
【図１】
0003134485.tif 000003
【図２】
0003134485.tif 000004
【図３】
0003134485.tif 000005